【手続補正書】
【提出日】平成19年5月28日(2007.5.28)
【手続補正１】
【補正対象書類名】特許請求の範囲
【補正対象項目名】請求項１
【補正方法】変更
【補正の内容】
【請求項１】
遊技媒体を用いて遊技者が所定の遊技を行うことが可能であり、所定の入賞領域に遊技媒体が入賞したことにもとづいて景品として景品遊技媒体を払い出し、遊技者からの貸出要求にもとづいて遊技者に貸し出す貸し遊技媒体を払い出す遊技機であって、
遊技の進行を制御する遊技制御処理を実行し、所定の入賞領域に遊技媒体が入賞したことにもとづいて景品遊技媒体の払出数を指示する払出制御指令を出力する払出制御指令出力手段を含む遊技制御用マイクロコンピュータを搭載した遊技制御基板と、
前記遊技媒体の払い出しを行う払出手段と、
前記払出手段を駆動して遊技媒体を払い出させる払出駆動手段と、
前記払出制御指令出力手段からの前記払出制御指令に応じて前記払出駆動手段を制御する景品遊技媒体払出制御処理を実行する払出制御用マイクロコンピュータと、
所定の入賞領域に遊技媒体が入賞したことにもとづく景品としての景品遊技媒体の払い出しと、貸出要求にもとづく貸し遊技媒体の払い出しとを検出し、前記払出制御用マイクロコンピュータに検出信号を出力する払出検出手段と、を備え、
前記払出制御用マイクロコンピュータは、
前記払出制御指令出力手段からの払出制御指令に応じて遊技媒体の払出数を示すデータを記憶する景品遊技媒体数データ記憶手段と、
前記払出制御指令出力手段からの払出制御指令を入力する払出制御指令入力手段と、
前記払出制御指令入力手段が前記払出制御指令出力手段からの払出制御指令を入力したときに、該払出制御指令で指示された払出数を、景品遊技媒体数データ記憶手段が記憶しているデータに加算する加算手段と、
前記景品遊技媒体数データ記憶手段が記憶しているデータが、払い出すべき遊技媒体があることを示しているときに、前記払出駆動手段による前記払出手段の駆動を開始させる払出開始手段と、
前記払出駆動手段が前記払出手段を駆動しているときに、前記景品遊技媒体数データ記憶手段が記憶しているデータが増加したか否かを判定する増加判定手段と、
前記増加判定手段がデータが増加していることを判定したときに増加数を特定する増加数特定手段と、
前記払出手段が遊技媒体の払い出しを終了するまでの払出駆動手段の駆動量を特定可能なデータを記憶する駆動量データ記憶手段と、
前記駆動量データ記憶手段が記憶しているデータを、前記払出駆動手段の駆動量に応じた分減算する駆動量減算手段と、
前記増加判定手段がデータが増加していることを判定したときに、前記増加数特定手段が特定した増加数に応じた駆動量を示すデータを、前記駆動量データ記憶手段が記憶しているデータに加算する駆動量データ加算手段と、
前記払出開始手段により前記払出駆動手段による前記払出手段の駆動を開始させた後、前記駆動量データ記憶手段が記憶しているデータが遊技媒体の払出終了に応じた値になったときに前記払出駆動手段による前記払出手段の駆動を停止させる払出停止手段と、
前記払出検出手段からの前記検出信号が景品遊技媒体と貸し遊技媒体とのいずれの払い出しによるものかを判定する払出判定手段と、
前記払出判定手段により前記検出信号が景品遊技媒体の払い出しによるものと判定されたときに、前記遊技制御用マイクロコンピュータに対して景品遊技媒体の払い出しの検出を示す景品遊技媒体検出信号を出力する検出信号出力手段と、
所定条件が成立したときに、払い出しに関わる制御状態をエラー状態に移行させるエラー状態設定手段と、を含み、
前記検出信号出力手段は、前記エラー状態設定手段により前記エラー状態に移行されているときでも、前記景品遊技媒体検出信号を出力する
ことを特徴とする遊技機。
【手続補正２】
【補正対象書類名】特許請求の範囲
【補正対象項目名】請求項４
【補正方法】変更
【補正の内容】
【請求項４】
払出制御用マイクロコンピュータは、
景品遊技媒体払出制御処理を実行する景品遊技媒体払出制御手段と、
貸出要求にもとづいて所定数の貸し遊技媒体を払出駆動手段を制御して払い出させる貸し遊技媒体払出制御処理を実行する貸し遊技媒体払出制御手段を含み、
払出判定手段は、前記景品遊技媒体払出制御手段による景品遊技媒体払出制御処理および前記貸し遊技媒体払出制御手段による貸し遊技媒体払出制御処理のいずれも実行されていないときに、払出検出手段からの検出信号が入力されると、前記検出信号が前記景品遊技媒体払出制御手段による景品遊技媒体の払い出しによるものと判定する
請求項１から請求項３のうちいずれかに記載の遊技機。
【手続補正３】
【補正対象書類名】明細書
【補正対象項目名】００１３
【補正方法】変更
【補正の内容】
【００１３】
本発明による遊技機は、遊技媒体（例えば遊技球）を用いて遊技者が所定の遊技を行うことが可能であり、所定の入賞領域（例えば遊技領域に設けられている固定の入賞口２９，３０，３３，３９や可変入賞球装置１５）に遊技媒体が入賞したことにもとづいて景品として景品遊技媒体を払い出し、遊技者からの貸出要求にもとづいて遊技者に貸し出す貸し遊技媒体を払い出す遊技機であって、遊技の進行を制御する遊技制御処理（例えばステップＳ４１〜Ｓ５６）を実行し、所定の入賞領域に遊技媒体が入賞したことにもとづいて景品遊技媒体の払出数を指示する払出制御指令（例えば賞球個数信号）を出力する払出制御指令出力手段（例えば図３０に示す賞球処理を実行する部分）を含む遊技制御用マイクロコンピュータ（例えばＣＰＵ５６を含む遊技制御用マイクロコンピュータ５６０）を搭載した遊技制御基板（例えば主基板３１）と、遊技媒体の払い出しを行う払出手段（例えば球払出装置９７）と、払出手段を駆動して遊技媒体を払い出させる払出駆動手段（例えば払出モータ２８９）と、払出制御指令出力手段からの払出制御指令に応じて払出駆動手段を制御する景品遊技媒体払出制御処理（例えば図４９に示す賞球球貸し制御処理と図４２に示す払出モータ制御処理とにおける賞球の払出に関わる処理）を実行する払出制御用マイクロコンピュータ（例えば払出制御用ＣＰＵ３７１を含む払出制御用マイクロコンピュータ３７０）と、所定の入賞領域に遊技媒体が入賞したことにもとづく景品としての景品遊技媒体の払い出しと、貸出要求にもとづく貸し遊技媒体の払い出しとを検出し、払出制御用マイクロコンピュータに検出信号を出力する払出検出手段（例えば払出個数カウントスイッチ３０１）と、を備え、払出制御用マイクロコンピュータは、払出制御指令出力手段からの払出制御指令に応じて遊技媒体の払出数を示すデータを記憶する景品遊技媒体数データ記憶手段（例えば払出制御用マイクロコンピュータ３７０におけるＲＡＭに形成されている賞球払出予定総数カウンタ）と、払出制御指令出力手段からの払出制御指令を入力する払出制御指令入力手段（例えば、払出制御用マイクロコンピュータ３７０における賞球ＲＥＱ割込処理を実行する部分、図４５参照）と、払出制御指令入力手段が払出制御指令出力手段からの払出制御指令を入力したときに、該払出制御指令で指示された払出数を、景品遊技媒体数データ記憶手段が記憶しているデータに加算する加算手段（例えば、払出制御用マイクロコンピュータ３７０におけるステップＳ５４５を実行する部分）と、景品遊技媒体数データ記憶手段が記憶しているデータが、払い出すべき遊技媒体があることを示しているときに、払出駆動手段による払出手段の駆動を開始させる払出開始手段（例えば、払出制御用マイクロコンピュータ３７０におけるステップＳ６３１〜Ｓ６３５およびステップＳ６２７，Ｓ６２８を実行する部分）と、払出駆動手段が払出手段を駆動しているときに、景品遊技媒体数データ記憶手段が記憶しているデータが増加したか否かを判定する増加判定手段（例えば、払出制御用マイクロコンピュータ３７０におけるステップＳ６９４の処理を実行する部分）と、増加判定手段がデータが増加していることを判定したときに増加数を特定する増加数特定手段（例えば、払出制御用マイクロコンピュータ３７０におけるステップＳ６９５の処理における差分を算出する処理を実行する部分）と、払出手段が遊技媒体の払い出しを終了するまでの払出駆動手段の駆動量を特定可能なデータを記憶する駆動量データ記憶手段（例えば払出動作カウンタ）と、駆動量データ記憶手段が記憶しているデータを、払出駆動手段の駆動量に応じた分減算する駆動量減算手段（例えば、払出制御用マイクロコンピュータ３７０におけるステップＳ５１３の処理を実行する部分）と、増加判定手段がデータが増加していることを判定したときに（あるいは、例えば払出駆動手段が払出手段を駆動しているときに）、増加数特定手段が特定した増加数に応じた駆動量を示すデータを、駆動量データ記憶手段が記憶しているデータに加算する駆動量データ加算手段（例えば、払出制御用マイクロコンピュータ３７０におけるステップＳ６９５における加算処理を実行する部分）と、払出開始手段により払出駆動手段による払出手段の駆動を開始させた後、駆動量データ記憶手段が記憶しているデータが遊技媒体の払出終了に応じた値（例えば０）になったときに払出駆動手段による払出手段の駆動を停止させる払出停止手段（例えば、払出制御用マイクロコンピュータ３７０におけるステップＳ５２５の払出モータブレーキ処理において払出動作カウンタの値が０になったことに応じて払出モータ２８９の駆動を停止させる処理を実行する部分）と、払出検出手段からの検出信号が景品遊技媒体と貸し遊技媒体とのいずれの払い出しによるものかを判定する払出判定手段（例えば、払出制御用マイクロコンピュータ３７０におけるステップＳ６０２，Ｓ６０３を実行する部分）と、払出判定手段により検出信号が景品遊技媒体の払い出しによるものと判定されたときに、遊技制御用マイクロコンピュータに対して景品遊技媒体の払い出しの検出を示す景品遊技媒体検出信号を出力する検出信号出力手段（例えば、払出制御用マイクロコンピュータ３７０におけるステップＳ６０６を実行する部分）と、所定条件が成立したときに、払い出しに関わる制御状態をエラー状態に移行させるエラー状態設定手段（例えば、払出制御用マイクロコンピュータ３７０におけるステップＳ８０９，Ｓ８１２およびステップＳ６２１を実行する部分）と、を含み、検出信号出力手段は、エラー状態設定手段によりエラー状態に移行されているときでも、景品遊技媒体検出信号を出力する（例えば、ステップＳ６２１の処理によってエラーフラグのエラービットがセットされていると判定されたときには、その後の払出処理は行われないが、エラービットがセットされていると判定されたときであっても、ステップＳ６０２，Ｓ６０３，Ｓ６０６の処理は実行する）ことを特徴とする。